(57)【要約】【課題】  従来の冷房構造は、外壁全般を冷却することができず、冷房効率が悪い。【解決手段】  本発明の冷房方法は、建物の外壁に水を供給し、その水が蒸発する際に気化熱が奪われることにより外壁が冷却されて建物内が冷却されるようにした建物の冷房方法において、滲出管の外周面から水を滲み出させて、その水を浸水性があり内側面が防水処理された建物の外壁に垂れ流して浸水させ、この垂れ流しにより外壁に浸水された水分を蒸発させ、蒸発時に気化熱が奪われることにより外壁が冷却されて建物内が冷却される方法である。本発明の冷房構造は、建物の外壁は浸水性があり内側面が防水処理されたものであり、その外壁に沿って滲出管が配置され、滲出管はその外周面から水が滲み出てその水を外壁に垂れ流し可能に配置された構造である。この場合、滲出管への水の供給時間、供給間隔を調整可能な制御システムを設けて、冷却を自動制御することもできる。【選択図】  図１
2009121059.tif 000002
【特許請求の範囲】
【請求項１】
建物の外壁に水を供給し、その水が蒸発する際に気化熱が奪われることにより外壁が冷却されて建物内が冷却されるようにした建物の冷房方法において、滲出管の外周面から水を滲み出させて、その水を浸水性があり内側面が防水処理された建物の外壁に垂れ流して浸水させ、この垂れ流しにより外壁に浸水された水分を蒸発させ、蒸発時に気化熱が奪われることにより外壁が冷却されて建物内が冷却されることを特徴とする建物の冷房方法。
【請求項２】
建物の外壁に水を供給し、その水が蒸発する際に気化熱が奪われることにより外壁が冷却されて建物内が冷却されるようにした建物の冷房構造において、建物の外壁は浸水性があり内側面が防水処理されたものであり、その外壁に沿って滲出管が配置され、滲出管はその外周面から水が滲み出てその水を外壁に垂れ流し可能に配置されたことを特徴とする建物の冷房構造。
【請求項３】
請求項２記載の建物の冷房構造において、滲出管への水の供給時間、供給間隔を調整可能な制御システムを備えたことを特徴とする建物の冷房構造。
【発明の詳細な説明】
【技術分野】
【０００１】
本発明は、建物の外壁に水を流し、その水が蒸発する際に気化熱を奪うことにより外壁を冷却して建物内を冷却する建物の冷房方法と、その方法に使用される建物の冷房構造に関するものである。
【背景技術】
【０００２】
従来、建物の外壁に水を供給し、その水が蒸発する際に気化熱を奪うことにより外壁を冷却する冷房構造として、例えば特許文献１、２の構造が開発されている。これら冷房構造はいずれも、給水管から分岐した分岐管や枝管の端部から外壁に直接水を流して外壁に給水するものである。
【０００３】
【特許文献１】特開２００３−８３６５６号公報
【特許文献２】特開２００３−３２８４６２号公報
【発明の開示】
【発明が解決しようとする課題】
【０００４】
前記特許文献１、２の冷房構造は、分岐管や枝管の端部からの給水であるため給水面積が狭く、端部から離れた箇所には水が十分に供給されない。給水面積を広くするために一本の給水管から多数本の分岐管や枝管に分流させると、分岐管や枝管の長さによって給水量が一定にならず、外壁全般を均等に冷却することができない。また、分岐管や枝管が多くなると装置が大掛かりになり、装置の敷設工事やメンテナンスも大変である。
【課題を解決するための手段】
【０００５】
本発明は、建物の外壁全面に万遍なく水を垂れ流して外壁全面をほぼ均等に冷却できる建物の冷房方法と、簡潔な構成の冷房構造を提供するものである。
【０００６】
本件出願の冷房方法は、建物の外壁に水を供給し、その水が蒸発する際に気化熱が奪われることにより外壁が冷却されて建物内が冷却されるようにした建物の冷房方法において、滲出管の外周面から水を滲み出させて、その水を浸水性があり内側面が防水処理された建物の外壁に垂れ流して浸水させ、この垂れ流しにより外壁に浸水された水分を蒸発させ、蒸発時に気化熱が奪われることにより外壁が冷却されて建物内が冷却される方法である。
【０００７】
本件出願の冷房構造は、建物の外壁に水を供給し、その水が蒸発する際に気化熱が奪われることにより外壁が冷却されて建物内が冷却されるようにした建物の冷房構造において、建物の外壁は浸水性があり内側面が防水処理されたものであり、その外壁に沿って滲出管が配置され、滲出管はその外周面から水が滲み出てその水を外壁に垂れ流し可能に配置された構造である。この場合、滲出管への水の供給時間、供給間隔を調整可能な制御システムを設けて、冷却を自動制御することもできる。
【発明の効果】
【０００８】
本件出願の建物の冷房方法は、次のような効果がある。
（１）外周面全長から水が滲み出る滲出管から水を滲みださせて外壁に垂れ流すので、滲出管を外壁の幅方向に沿って配管しておけば、外壁のほぼ全面にほぼ均等に水を垂れ流すことができ、外壁が万遍なく冷却され、冷房効率が向上する。本件発明者の実験によれば既存のクーラーとか他の冷房装置を稼動させなくとも、室内が十分に冷房されることが確認できた。
（２）外壁が浸水性を備えるので、外壁の上部に水を垂れ流せば、水が外壁を伝って左右に広がりながら下方に流れ落ち、外壁の広範囲に効率よく浸水させることができる。また、外壁の内部まで浸水するので外壁に含まれる水分量が多くなり、その水分が全て蒸発するまでに時間がかかるため冷却時間が長く確保される。
（３）外壁の内側面に防水処理を施したので、外壁を通して建物内に水が入り込むことが無く、室内が結露したり、水分過多になったりすることも無い。
【０００９】
本件出願の建物の冷房構造は、次のような効果がある。
（１）外周面全長から水が滲み出る滲出管を外壁に沿って配置したので、滲出管から滲み出た水が外壁全面に万遍なく供給され、外壁全般が冷却するため冷房効率も良い。
（２）外壁が浸水性を有するので、外壁に供給された水が外壁を伝って下方まで流れ落ち、外壁の上方から垂れ流せば外壁全般に広く行き渡り、外壁全般を冷却することができる。
（３）外壁の内側面に防水処理を施してあるので、建物内に水が入り込むことが無く、室内が結露したり、水分過多になったりすることも無い。
（４）滲出管への水の供給時間、供給間隔を調整可能な制御システムを設けたので、外壁の水分を検知可能な水分センサ、温度を検知可能な温度センサ、時間経過を検知できるタイマ等と組み合わせれば、冷却の必要な時に、必要な時間だけ、外壁に水を垂れ流して室内を冷却することができ、常時水を出し続ける必要も、人手によって水の供給を制御する必要もなくないので、冷房効率もよくなり、ランニングコストの低減にも資する。
【発明を実施するための最良の形態】
【００１０】
（建物の冷房方法の実施形態１）
本発明の建物の冷房方法（以下、単に「冷房方法」とする。）の実施形態の一例を説明する。この実施形態の冷房方法は、図１〜図３に示すように、建物の外壁２に水を供給し、その水が蒸発する際に気化熱が奪われることにより外壁２が冷却されて建物内が冷却される方法である。この方法の説明に先立って、この方法の実施に用いる冷房構造を図１〜図４に基づいて説明する。
【００１１】
（建物の冷房構造の実施形態１）
本実施形態の建物の冷房構造（以下、単に「冷房構造」とする。）は、図１〜図４に示すように、建物１の外壁２に水を供給し、その水が蒸発する際に気化熱が奪われることにより外壁２が冷却されて建物内１を冷却する冷房構造である。この冷房構造では、図１に示す建物１において、浸水性があり、内側面が防水処理された外壁２の上端部（庇３の内側部）に、外壁２の幅方向に沿って、全長全周面から水が滲み出る滲出管４（図４参照。）が配置され、滲出管４から滲み出た水を外壁２の上端から下端にかけて、外壁２の全面に垂れ流し可能に配置されたものである。また、図２に示すように、滲出管４には電磁弁５を備える制御システムが設けられ、外壁２への水の供給間隔及び連続供給時間を調整可能としてある。電磁弁５は外壁２の水分を検知可能な水分センサ（図示しない）、温度を検知可能な温度センサ（図示しない）、時間経過を検知できるタイマ（図示しない）等と組み合わせてあり、外壁２の水分や温度に応じて開閉を制御できるようにしてある。
【００１２】
図１に示すように、本例の冷房構造が備えられる建物１は、鉄筋コンクリート造（ＲＣ造）の建物であって、コンクリート製の床６、天井７、外壁２に囲まれて内部空間８が形成されているものである。外壁２の上端部には同じくコンクリート製の庇３が設けられている。図１に示す建物１は一階部分であるが、本例の冷房構造を備えるのは一階部分に限らず、二階部分や三階部分等であってもよい。
【００１３】
外壁２は、図１、図３に示すように、多数の型枠用ブロック９を組み上げ、夫々のブロック９の空洞部分内にコンクリートを充填した構造とされている。この外壁２を構成するブロック９は、微細孔が形成されたもの等、浸水性のあるものが用いられ、表面を流れた水が内部へ浸透するようにしてある。また、外壁２のブロック９の内側面１０には防水処理が施され、ブロック９内に浸透した水が建物内へ浸水しないようにしてある。防水処理としては、例えばコンクリート用のシリコン系撥水剤を塗布しておく等、任意の処理を施すことができる。
【００１４】
滲出管４は、図４に示すような、全長全周面から水が滲み出るように形成された管である。滲出管４は、図４に示すように無数の細孔１１が形成されており、これら各細孔１１から水が滲み出るようにしてある。滲出管４内の水圧はどの部分でも一定であり、滲出管４の全長全周面どの部分からも均一に水が滲み出る。この滲出管４として、例えば市販のポーラスパイプ等を用いることができる。この滲出管４は、図１、図２に示すように、外壁２の幅方向に沿って建物１の外周を囲むように配置されている。また、滲出管４は、建物１の庇３の付け根部分に開口した管収容空間１２内に収容されて備えられており、滲出管４から滲み出る水が外壁２の表面に垂れ流されるようにしてある。滲出管４を収容した管収容空間１２の開口部は、図１、図３に示すように、滲出管４から滲み出る水が通過できるように閉塞板１３で閉塞されている。
【００１５】
前記滲出管４には、図２に示すように、電磁弁５を備える制御システムが設けられ、外壁２への水の供給間隔及び連続供給時間を調整可能としてある。電磁弁５は外壁２の水分を検知可能な水分センサ（図示しない）、温度を検知可能な温度センサ（図示しない）や、時間経過を検知できるタイマ（図示しない）等と組み合わせてあり、外壁２の水分や温度に応じて開閉を制御できるようにしてある。従って、例えば、２時間おきに５分間ずつ外壁２に水が供給されるように調整したりすること等ができる。また、季節や気温に応じて水の供給時間、供給間隔を自在に調整することもできる。
【００１６】
滲出管４に水を供給するための給水源としては、例えば図２に示すように建物１内の水道１４を用いることができる。給水源はこれには限られず、建物外の水道等、任意の給水源を使用することができる。
【００１７】
（使用例１）
図１〜図４に示す冷房構造で建物１内を冷却するには、次の（１）〜（６）のようにする。
（１）通常時は、制御システムによって電磁弁５を閉じて滲出管４内に水を送り込まないように制御し、水を外壁２に供給できないようにしている。
（２）制御システムに設定してある所定の時刻又は外壁２の水分又は外壁２の温度になると、制御システムによって電磁弁５を開くように制御し、滲出管４内に水が送り込まれる。
（３）滲出管４の全長全周面から水が滲み出る。
（４）滲出管４から滲み出た水は外壁２の上端から下端に向けて外壁２表面全面に垂れ流され、外壁２に浸透する。
（５）所定の時間だけ水を連続供給すると、電磁弁５が自動的に閉じ、水を止める。
（６）外壁２に流され、外壁２に浸透した水が乾燥すると、気化熱が奪われることによって外壁２が冷却され、建物１内も冷却される。
上記（１）〜（６）の手順を繰り返し行うことにより、建物１内を連続して冷却することができるようになる。
【００１８】
（冷房構造の実施形態２）
本発明の冷房構造の外壁は、前記実施形態１記載の多数の型枠用ブロック９を組み上げ、夫々のブロック９の空洞部分内にコンクリートを充填した構造のものには限られず、浸水性があり、内側面に防水処理が施されたものであれば、例えば天然石で形成したものなど、任意の素材で構成することもできる。また、本発明の冷房構造が備えられる建物も、前記実施形態１記載のＲＣ造のものには限られず、他の構造によるものとすることができる。
【００１９】
（冷房構造の実施形態３）
本発明の冷房構造では、滲出管４の配置位置は、前記実施形態１記載のような、建物１の庇３の付け根部分に開口した管収容空間１２内には限られず、外壁表面に水を垂れ流すことができれば、任意の配置位置とすることができる。従って、例えば、外壁内に滲出管を埋設したり、外壁表面に滲出管を張り付けたりすることもできる。また、滲出管の配置高さも、外壁の上端部に限られず、外壁の中段部等、任意の箇所に備えることもできる。また、一面の外壁につき備えられる滲出管の本数も一本に限られず二本以上とすることもできる。
【産業上の利用可能性】
【００２０】
本発明の建物の冷房方法及び冷房構造は、住宅等の小規模な建物の冷房には限られず、ビル等の大規模な建物を冷房する方法及び構造として応用することもできる。
【図面の簡単な説明】
【００２１】
【図１】本発明の冷房構造の実施形態の一例を示す側面断面説明図。
【図２】図１の冷房構造を示す平面断面説明図。
【図３】図１の冷房構造の外観を示す斜視図。
【図４】図１の冷房構造に使用される滲出管を示す正面説明図。
【符号の説明】
【００２２】
１  建物
２  外壁
３  庇
４  滲出管
５  電磁弁
６  床
７  天井
８  内部空間
９  ブロック
１０  内側面
１１  細孔
１２  管収容空間
１３  閉塞板
１４  水道
【図１】
2009121059.tif 000003
【図２】
2009121059.tif 000004
【図３】
2009121059.tif 000005
【図４】
2009121059.tif 000006